【手続補正書】
【提出日】平成28年2月24日(2016.2.24)
【手続補正１】
【補正対象書類名】特許請求の範囲
【補正対象項目名】全文
【補正方法】変更
【補正の内容】
【特許請求の範囲】
【請求項１】
媒体に液体を吐出するヘッドと、
前記ヘッドにより前記媒体に画像を印刷する印刷機構と、
を備え、
前記媒体の余白量を拡大して印刷を実行するように前記印刷機構を制御する、
ことを特徴とする印刷制御装置。
【請求項２】
請求項１に記載の印刷制御装置であって、
前記ヘッドと前記媒体との間隔を調整する間隔調整手段を備え、
前記媒体の余白量を拡大して印刷する場合には、前記余白量を拡大せずに印刷を実行する場合に比して、前記ヘッドと前記媒体との間隔が広がるように前記間隔調整手段を制御する、
ことを特徴する印刷制御装置。
【請求項３】
請求項１または２に記載の印刷制御装置であって、
前記画像の印刷に先立って、前記媒体の余白量を拡大して印刷を実行するか否かを選択する余白拡大印刷選択手段と、
前記画像の印刷に先立って、前記媒体に余白が生じないよう印刷を実行する縁なし印刷を実行するか否か選択する縁なし印刷選択手段と、を備え、
前記縁なし印刷選択手段は、前記余白拡大印刷選択手段により前記媒体の余白量を拡大して印刷することが選択されると、前記縁なし印刷を実行することが選択できないように構成される、
ことを特徴とする印刷制御装置。
【請求項４】
請求項１ないし３いずれか１項に記載の印刷制御装置であって、
前記余白量を拡大して印刷を実行する場合には、前記余白量を拡大せずに印刷を実行する場合に比して、前記媒体に対する単位面積当たりの液体の吐出量が少なくなるように前記印刷機構を制御する、
ことを特徴とする印刷制御装置。
【請求項５】
請求項１ないし４いずれか１項に記載の印刷制御装置であって、
前記ヘッドを往復動させる移動手段を備え、
往動時と復動時の一方のみで前記ヘッドから液体を吐出して印刷を行なう単方向印刷のモードと、往動時と復動時との双方で前記ヘッドから液体を吐出して印刷を実行する双方向印刷のモードと、により印刷を実行するように前記印刷機構を制御し、
前記余白量を拡大して印刷を実行する場合には、前記単方向印刷のモードにより印刷が実行されるよう前記印刷機構を制御する、
ことを特徴とする印刷制御装置。
【請求項６】
ユーザー選択により余白量を設定する余白量設定手段を備える印刷制御装置による制御に基づいて、媒体に液体を吐出することにより該媒体に画像の印刷を実行する印刷装置であって、
液体を吐出するヘッドと、
前記ヘッドと前記媒体との間隔を調整する間隔調整手段と、
前記間隔調整手段により前記ヘッドと前記媒体との間隔を第１の間隔とし、前記余白量設定手段により設定された余白量に基づき印刷を実行する第１の印刷モードと、前記間隔調整手段により前記ヘッドと前記媒体との間隔を前記第１の間隔よりも広い第２の間隔とし、前記余白量設定手段により設定された余白量よりも拡大した余白量に基づき印刷を実行する第２の印刷モードとを含む複数の印刷モードのいずれかを選択し、該選択した印刷モードにより印刷が実行されるように前記ヘッドと前記間隔調整手段とを制御する制御手段と、
を備えることを特徴とする印刷装置。
【請求項７】
媒体に液体を吐出するヘッドにより該媒体に画像を印刷する印刷方法であって、
前記媒体の余白量を拡大して印刷を実行する、
ことを特徴とする印刷方法。
【請求項８】
媒体に液体を吐出するヘッドにより該媒体に画像を印刷する印刷方法であって、
ユーザー選択により余白量を設定し、
前記ヘッドと前記媒体との間隔を第１の間隔とすると共に前記設定した余白量に基づき印刷を実行する第１の印刷モードと、前記ヘッドと前記媒体との間隔を前記第１の間隔よりも広い第２の間隔とすると共に前記設定した余白量よりも拡大した余白量に基づき印刷を実行する第２の印刷モードと、を含む複数の印刷モードのいずれかを選択し、
該選択した印刷モードにより印刷を実行する、
ことを特徴とする印刷方法。
【請求項９】
請求項１に記載の印刷制御装置であって、
前記媒体を前記ヘッドと対向する位置へ向けて搬送する搬送ローラー対と、
前記媒体を前記ヘッドと対向する位置から排出する排出ローラー対と、
を備え、
前記搬送ローラー対および前記排紙ローラー対は、前記媒体を挟み込んだ状態で搬送し、
前記媒体の搬送方向における上下流端部のそれぞれの前記余白量を拡大して印刷を実行するように前記印刷機構を制御する、
ことを特徴する印刷制御装置。
【請求項１０】
請求項９に記載の印刷制御装置であって、
前記媒体の前記搬送方向と交差する幅方向における両端部のそれぞれの前記余白量を拡大して印刷を実行するように前記印刷機構を制御する、
ことを特徴する印刷制御装置。
【請求項１１】
請求項９または１０に記載の印刷制御装置であって、
前記画像のデータを縮小することにより、前記媒体の前記余白量を拡大して印刷を実行するように前記印刷機構を制御する、
ことを特徴する印刷制御装置。
【請求項１２】
請求項１に記載の印刷制御装置であって、
前記画像の印刷に先立って、前記媒体の余白量を拡大して印刷を実行するか否かを選択する余白拡大印刷選択手段を備え、
前記余白拡大印刷選択手段により前記媒体の前記余白量を拡大して印刷することが選択されると、設定された前記媒体の余白量よりも前記媒体の前記余白量を拡大して印刷を実行するように前記印刷機構を制御する、
ことを特徴する印刷制御装置。
【手続補正２】
【補正対象書類名】明細書
【補正対象項目名】０００７
【補正方法】変更
【補正の内容】
【０００７】
本発明の印刷制御装置は、
媒体に液体を吐出するヘッドと、
前記ヘッドにより前記媒体に画像を印刷する印刷機構と、
を備え、
前記媒体の余白量を拡大して印刷を実行するように前記印刷機構を制御する、
ことを要旨とする。
【手続補正３】
【補正対象書類名】明細書
【補正対象項目名】０００８
【補正方法】変更
【補正の内容】
【０００８】
この本発明の印刷制御装置では、媒体の余白量を拡大して印刷を実行するように印刷機構を制御する。これにより、吐出された液体により媒体が膨潤するのを効果的に抑制することができ、ヘッドと媒体との接触を防止することができる。
【手続補正４】
【補正対象書類名】明細書
【補正対象項目名】０００９
【補正方法】変更
【補正の内容】
【０００９】
本発明の印刷制御装置において、前記ヘッドと前記媒体との間隔を調整する間隔調整手段を備え、前記媒体の余白量を拡大して印刷する場合には、前記余白量を拡大せずに印刷を実行する場合に比して、前記ヘッドと前記媒体との間隔が広がるように前記間隔調整手段を制御するものとすることもできる。こうすれば、媒体の余白量の拡大と併せてヘッドと媒体との間隔を広げることにより、ヘッドと媒体との接触をより確実に防止することができる。
【手続補正５】
【補正対象書類名】明細書
【補正対象項目名】００１０
【補正方法】変更
【補正の内容】
【００１０】
また、本発明の印刷制御装置において、前記画像の印刷に先立って、前記媒体の余白量を拡大して印刷を実行するか否かを選択する余白拡大印刷選択手段と、前記画像の印刷に先立って、前記媒体に余白が生じないよう印刷を実行する縁なし印刷を実行するか否か選択する縁なし印刷選択手段と、を備え、前記縁なし印刷選択手段は、前記余白拡大印刷選択手段により前記媒体の余白量を拡大して印刷することが選択されると、前記縁なし印刷を実行することが選択できないように構成されるものとすることもできる。こうすれば、縁なし印刷の実行を選択できる場合には、媒体の余白量を拡大して印刷が実行されることがないため、ユーザーが予期しない印刷結果が生じるのを防止することができる。
【手続補正６】
【補正対象書類名】明細書
【補正対象項目名】００１２
【補正方法】変更
【補正の内容】
【００１２】
また、本発明の印刷制御装置において、前記ヘッドを往復動させる移動手段を備え、往動時と復動時の一方のみで前記ヘッドから液体を吐出して印刷を行なう単方向印刷のモードと、往動時と復動時との双方で前記ヘッドから液体を吐出して印刷を実行する双方向印刷のモードと、により印刷を実行するように前記印刷機構を制御し、前記余白量を拡大して印刷を実行する場合には、前記単方向印刷のモードにより印刷が実行されるよう前記印刷機構を制御するものとすることもできる。単方向印刷は双方向印刷よりも良好な印刷画質が得られると考えられることから、吐出された液体により媒体が膨潤するおそれがある場合に単方向印刷を用いることにより、印刷画質の劣化を低減することができる。
【手続補正７】
【補正対象書類名】明細書
【補正対象項目名】００１８
【補正方法】変更
【補正の内容】
【００１８】
本発明の第１の印刷方法は、
媒体に液体を吐出するヘッドにより該媒体に画像を印刷する印刷方法であって、
前記媒体の余白量を拡大して印刷を実行する、
ことを要旨とする。
【手続補正８】
【補正対象書類名】明細書
【補正対象項目名】００１９
【補正方法】変更
【補正の内容】
【００１９】
この本発明の第１の印刷方法によれば、媒体の余白量を拡大して印刷を実行するから、吐出された液体により媒体が膨潤するのを効果的に抑制することができ、ヘッドと媒体との接触を防止することができる。
【手続補正９】
【補正対象書類名】明細書
【補正対象項目名】００２０
【補正方法】変更
【補正の内容】
【００２０】
本発明の第２の印刷方法は、
媒体に液体を吐出するヘッドにより該媒体に画像を印刷する印刷方法であって、
ユーザー選択により余白量を設定し、
前記ヘッドと前記媒体との間隔を第１の間隔とすると共に前記設定した余白量に基づき印刷を実行する第１の印刷モードと、前記ヘッドと前記媒体との間隔を前記第１の間隔よりも広い第２の間隔とすると共に前記設定した余白量よりも拡大した余白量に基づき印刷を実行する第２の印刷モードと、を含む複数の印刷モードのいずれかを選択し、
該選択した印刷モードにより印刷を実行する、
ことを要旨とする。
【手続補正１０】
【補正対象書類名】明細書
【補正対象項目名】００２１
【補正方法】変更
【補正の内容】
【００２１】
この本発明の第２の印刷方法によれば、ユーザー選択により余白量を設定し、ヘッドと媒体との間隔を第１の間隔とすると共に設定された余白量に基づき印刷を実行する第１の印刷モードと、ヘッドと媒体との間隔を第１の間隔よりも広い第２の間隔とすると共に設定された余白量よりも拡大した余白量に基づき印刷を実行する第２の印刷モードと、を含む複数の印刷モードのいずれかを選択し、選択した印刷モードにより印刷が実行されるよう印刷機構を制御する。これにより、第１の印刷モードと第２の印刷モードとを含む複数の印刷モードを選択して実行することにより、余白量を適正化して、吐出された液体により媒体が膨潤するのを抑制することができる。この結果、ヘッドと媒体との接触を防止することができる。特に、第２の印刷モードでは、媒体の余白量の拡大と併せてヘッドと媒体との間隔を広げることにより、ヘッドと媒体との接触をより確実に防止することができる。
【手続補正１１】
【補正対象書類名】明細書
【補正対象項目名】００４２
【補正方法】変更
【補正の内容】
【００４２】
ステップＳ３３０で「こすれ回避設定」が「こすれ回避強」であると判定すると、ステップＳ３１０で調整したプラテンギャップＰＧの値に拘わらず、プラテンギャップＰＧが第２の間隔ＰＧ２に広がるようギャップ調整用モーター７８を駆動制御する（ステップＳ３８０）。ここで、第２の間隔ＰＧ２は、第１の間隔ＰＧ１よりも広い間隔として定められており、例えば、３．０ｍｍなどのように設定することができる。そして、さらに、通常のフチあり印刷時よりも用紙Ｐの余白量を拡大させると共に（ステップＳ３９０）、印刷Ｄｕｔｙを低減させる（ステップＳ４００）。余白量の拡大は、印刷設定に含まれる用紙サイズにより規定される用紙領域から余白領域を除いた領域が印刷領域となるように、画像データを縮小することにより行なわれる。なお、余白量の拡大は、用紙領域に対して上下左右端の余白を均等に拡大するものとしてもよいし、上下端の余白のみを拡大するものとしてもよい。また、印刷Ｄｕｔｙは、用紙Ｐの単位面積当たりにインク吐出が行なわれうるインク滴の総重量を意味し、印刷Ｄｕｔｙの低減は、例えば、マスク回路６８で印刷データに対応してノズル６３から吐出するインク滴のショット数もしくは１ショット当たりのインク滴の重量を調整することにより行なわれる。また、用紙Ｐに対して行なわれるインク吐出は、印刷データに基づいて行なわれるが、印刷Ｄｕｔｙを低減させる場合には、少なくとも用紙Ｐに対するインク滴の総重量の上限値が少なくなっていればよい。即ち、用紙Ｐに対して最もインク滴がたくさん吐出されるようにした印刷データに基づいてインク吐出が行なわれる場合に、そのインク滴の総重量が減っていればよい。